(57)【要約】      （修正有）【課題】曇りや雨天の室内照明および夜間の人工補助光源の電力問題を解決する太陽光源植物ランプを提供する。【解決手段】太陽光源植物ランプ１は、温室の植物工場屋根２を貫通し、反射膜１１１を有する導光管１１と、導光管１１下端に設置される一組の出光ユニット１２とを有し、出光ユニット１２は、眩光防止アクリル板１２１、および、拡散光アクリル板１２２を有する。また、導光管１１上端に設置される一組の赤色と青色ＬＥＤランプモジュール１３と、導光管１１上方に設置される一組の集光マスク１４と、導光管１１上方、および、集光マスク１４内部に設置される一組の光センサー１５と、温室の植物工場屋根２上方に設置される少なくとも一組の太陽エネルギー発電貯電装置１６と、を有し、太陽エネルギー発電貯電装置１６は、赤色と青色ＬＥＤランプモジュール１３、および、光センサー１５に必要な電力を供給する。【選択図】図１
0003213003.tif 000002
【実用新案登録請求の範囲】
【請求項１】
太陽光源植物ランプであって、
温室の植物工場屋根を貫通する導光管と、
前記導光管下端に設置される一組の出光ユニットと、
前記導光管上端に設置される一組の赤色と青色ＬＥＤランプモジュールと、
前記導光管上方に設置される一組の集光マスクと、
前記導光管上方、および、前記集光マスク内部に設置される一組の光センサーと、
前記温室の植物工場の前記屋根上方に設置される少なくとも一組の太陽エネルギー発電貯電装置と、を有し、前記太陽エネルギー発電貯電装置は、前記赤色と青色ＬＥＤランプモジュール、および、前記光センサーに必要な電力を供給することを特徴とする太陽光源植物ランプ。
【請求項２】
前記導光管内壁は反射膜を設置することを特徴とする請求項１に記載の太陽光源植物ランプ。
【請求項３】
前記集光マスクは中空の半球形であることを特徴とする請求項１に記載の太陽光源植物ランプ。
【請求項４】
前記集光マスクはアクリル材質により成型されることを特徴とする請求項１に記載の太陽光源植物ランプ。
【請求項５】
前記出光ユニットは眩光防止アクリル板および拡散光アクリル板を有することを特徴とする請求項１に記載の太陽光源植物ランプ。
【考案の詳細な説明】
【技術分野】
【０００１】
本考案は、太陽光源植物ランプに関するものであって、特に、温室の植物工場の人工による電力光源照射を不要にする、または、曇り、雨天の植物照明、および、夜間の人工補助光源の電力問題を解決し、太陽エネルギー発電貯電装置、および、赤色と青色ＬＥＤランプモジュールにより、温室の植物工場の室内照明を提供し、太陽光源植物ランプは、太陽エネルギー発電貯電装置により、発電、貯電、赤色と青色ＬＥＤランプモジュール、および、光センサーの電力を供給する。
【背景技術】
【０００２】
公告前案一，台湾発明案第０９７１１３７４３号「集光板」(証書番号：Ｉ３５９９６１)，集光板は、平面光源集光部品、および、線形光源集光部品を有する。平面光源集光部品は、平面光源の光線を点状射出の光線に収集し、集光板は、平面光源の光線を受信し、平面光源の光線が、平面光源集光部品により伝導して、線形射出の光線に凝集する。平面光源集光部品により凝集された線形射出の光線は、平面光源集光部品と線形光源集光部品の間の平面-線型光源仮想面を経由して、線形光源集光部品に進入し、平面光源集光部品により凝集した線形射出の光線が、線形光源集光部品構造により伝導して、点状射出の光線に凝集する。
公告前案二，台湾発明案第０９７１１９１９０号「光カプラー(Ｏｐｔｉｃａｌ  Ｃｏｕｐｌｅｒ）、および、その光結合システム」(証書番号：Ｉ３６９５１９)，光カプラーは、入光部、出光部、および、第一反射部を有する。入光部は、複数の第一プリズム構造を有し、各第一プリズム構造は、入光部に入射する入射光を屈折させるのに適する。出光部は、入光部の反対側に設置され、且つ、複数の第二プリズム構造を有する。第一反射部は、入光部と出光部の間に設置され、第一反射部は、入光部が屈折した入射光を反射させるのに適する。出光部の第二プリズム構造は、第一反射部が反射した入射光を屈折させるのに適する。
公告前案三，台湾実用新案第１０１２１８３１４号「発光素子、および、発光素子を使用した照明システム」(証書番号：Ｍ４４８６４１)，発光素子は透光本体を有し、透光本体は、透光本体の中心を貫通する光軸を有する。透光本体は、底平面、および、複数の出光領域を有する。底平面は光軸に水平であるとともに、光軸の通過箇所に凹孔を設置する。凹孔内側は、複数の入光曲面を有し、これらの入光曲面は、光軸を対称な中心として排列されている。複数の出光領域は底平面上方に位置するとともに、光軸を対称な中心として設置される。照明システムは、集光ユニット、上述の発光素子、および、光学導管を有し、発光素子は、多方向の照射效果を有するとともに、照明領域を増加させることができる。光学導管は光学レンズを採用して導光効果を達成し、導光效果がよく、且つ、価格が高い光ファイバーの使用を減少させる。
上述の三前案は、温室植物工場の曇りや雨天時の植物への照明や夜間の人工補助光源の電力問題を解決することができない。
【考案の概要】
【考案が解決しようとする課題】
【０００３】
温室の植物工場の人工による電力光源照射を不要にする、または、曇り、雨天の植物照明、および、夜間の人工補助光源の電力問題を解決するため、本考案は、太陽光源植物ランプを提供することを目的とする。本考案の構造は、太陽エネルギー発電貯電装置、および、赤色と青色ＬＥＤランプモジュールにより、温室の植物工場の室内照明を提供し、太陽光源植物ランプは、太陽エネルギー発電貯電装置により、発電、貯電、赤色と青色ＬＥＤランプモジュール、および、光センサーの電力を供給し、光検出器を利用して、外界のルーメンを検出し、太陽光ルーメンと赤色と青色ＬＥＤランプモジュールを自動調整して、温室の植物工場室内の照明環境を安定させる。赤色と青色ＬＥＤランプモジュールの電力は、太陽エネルギー発電貯電装置によるもので、平日は、太陽エネルギー発電貯電装置により、太陽光を電気エネルギーに転換して保存し、天気が悪い日や夜に使用することができ、本考案による太陽光源植物ランプは、太陽エネルギーを十分に利用して、電気使用の比率を減少させる。
【課題を解決するための手段】
【０００４】
本考案の目的は、温室の植物工場の人工による電力光源照射を不要にする、または、曇り、雨天の植物照明、および、夜間の人工補助光源電力問題を解決する太陽光源植物ランプを提供し、太陽エネルギー発電貯電装置、および、赤色と青色ＬＥＤランプモジュールにより、温室の植物工場室内の照明を提供するとともに、太陽エネルギー発電貯電装置により、発電、貯電、赤色と青色ＬＥＤランプモジュール、および、光センサーの電力を供給する。本考案による新規の太陽光源植物ランプは、温室の植物工場の経営コストを大幅に節約することができるだけでなく、従来の温室の植物工場が二酸化炭素を排出する問題を改善し、温室効果の環境保全問題が緩和される。
本考案の目的を達成するため、本考案による太陽光源植物ランプは、温室の植物工場屋根を貫通する導光管と、導光管下端に設置される一組の出光ユニットと、導光管上端に設置される一組の赤色と青色ＬＥＤランプモジュールと、導光管上方に設置される一組の集光マスクと、導光管上方、および、集光マスク内部に設置される一組の光センサーと、温室の植物工場屋根上方に設置される一組の太陽エネルギー発電貯電装置と、を有し、太陽エネルギー発電貯電装置は、赤色と青色ＬＥＤランプモジュール、および、光センサーに必要な電力を供給する。
導光管内壁は反射膜を設置する。
集光マスクは中空の半球形である。
集光マスクはアクリル材質により成型される。
出光ユニットは、眩光防止アクリル板、および、拡散光アクリル板を有する。
【考案の効果】
【０００５】
本考案は、太陽エネルギー発電貯電装置、および、赤色と青色ＬＥＤランプモジュールを結合して、温室の植物工場の室内照明を提供し、太陽エネルギー発電貯電装置により、発電、貯電、赤色と青色ＬＥＤランプモジュール、および、光センサー電力を供給するとともに、赤色と青色ＬＥＤランプモジュールのＵＶＬＥＤランプ、赤色と青色ＬＥＤランプの開閉を自動制御する。本考案による太陽光源植物ランプは、太陽光源の光電、光導照明技術を利用し、天然資源を消耗する問題がないだけでなく、余分な電力も使用せず、温室の植物工場の経営コストを節約し、更に、二酸化炭素を放出して温室効果を生成する問題がない。本考案は、７００ｎｍ以上のＩＲ放射熱を遮断し、熱エネルギーの温室の植物工場室内への進入を７０％減少させる長所を有し、温室の植物工場の室内空調の負荷を減少させ、自然エネルギー推進に符合する。本考案の半球形の集光マスクは、透明アクリル材料(ＰＭＭＡ)を使用し、抗赤外線材料を添加して、放射熱を遮断するとともに、太陽光中の２８０〜４００ｎｍの全光波長光を温室の植物工場室内に進入させる。
【図面の簡単な説明】
【０００６】
【図１】本考案による太陽光源植物ランプを温室の植物工場屋根に取り付けた構造を示す図である。
【考案を実施するための形態】
【０００７】
図１に示されるように、本考案による太陽光源植物ランプ１は、導光管１１と、一組の出光ユニット１２と、一組の赤色と青色ＬＥＤランプモジュール１３と、一組の集光マスク１４と、一組の光センサー１５と、一組の太陽エネルギー発電貯電装置１６を有する。温室の植物工場屋根２を貫通する導光管１１の内壁は反射膜１１１を設置し。導光管１１下端に、一組の出光ユニット１２が設置される、出光ユニット１２は、眩光防止アクリル板１２１、および、拡散光アクリル板１２２を有する。導光管１１上端に、一組の赤色と青色ＬＥＤランプモジュール１３が設置される。導光管１１上方に、一組の集光マスク１４が設置され、集光マスク１４は中空の半球形であり、アクリル材質により一体成型される。導光管１１上方、および、集光マスク１４内部に、一組の光センサー１５が設置される。温室の植物工場屋根２上方に、少なくとも一組の太陽エネルギー発電貯電装置１６が設置され、太陽エネルギー発電貯電装置１６は、赤色と青色ＬＥＤランプモジュール１３、および、光センサー１５に必要な電力を供給する。
本考案による太陽光源植物ランプ１は、太陽エネルギー発電貯電装置１６、および、赤色と青色ＬＥＤランプモジュール１３のＬＥＤランプを結合し、温室の植物工場の室内照明を提供し、太陽エネルギー発電貯電装置１６は、発電、および、貯電効果を有し、赤色と青色ＬＥＤランプモジュール１３、および、光センサー１５に必要な電力を供給する。
本考案による太陽光源植物ランプ１は、太陽エネルギー発電貯電装置、および、赤色と青色ＬＥＤランプモジュール１３を結合し、温室の植物工場の室内照明を提供し、太陽エネルギー発電貯電装置により、発電、貯電、赤色と青色ＬＥＤランプモジュール、および、光センサー電力を供給するとともに、赤色と青色ＬＥＤランプモジュールのＵＶＬＥＤランプ、赤色と青色ＬＥＤランプの開閉を自動制御する。
本考案による太陽光源植物ランプ１の太陽エネルギー発電貯電装置１６は太陽光源を利用し、エネルギー消耗の問題がないだけでなく、余分な電力も必要とせず、温室の植物工場の電力コストを節約し、二酸化炭素の放出による温室効果の問題も発生しない。本考案による太陽光源植物ランプ１の集光マスク１４は、７００ｎｍ以上のＩＲ放射熱を遮断し、熱エネルギーの温室の植物工場室内への進入を７０％減少させる長所を有し、温室の植物工場の室内空調の負荷を減少させ、エネルギー節約の目的を達成する。集光マスク１４は中空の半球形に設置され、透明のアクリル材料からなり、二酸化ケイ素（ＳｉＯ２）を添加して、集光マスク１４に、７５０ｎｍの周波数バンドの放射線 (熱)の進入を阻止する功能を有させる。集光マスク１４は抗赤外線材料を添加して、放射熱を遮断するとともに、紫外線（ＵＶ）が温室の植物工場内部に進入して、室内照明要求を満足させる。
本考案による太陽光源植物ランプ１は以下のような効果が達成される：
１．本考案による太陽光源植物ランプ１は、温室の植物工場の人工による電力光源照射を不要にする、または、曇り、雨天の室内照明、および、夜間の人工補助光源電力問題を解決し、太陽エネルギー発電貯電装置１６、および、赤色と青色ＬＥＤランプモジュール１３により、温室の植物工場室内の照明を提供するとともに、太陽エネルギー発電貯電装置１６により、発電、貯電、赤色と青色ＬＥＤランプモジュール１３、および、光センサー１５の電力を供給する。本考案による太陽光源植物ランプ１の新規の構造により、温室の植物工場の電力コストを大幅に節約することができ、従来の温室の植物工場の二酸化炭素排出の問題を改善し、温室効果の問題が緩和される。
２．本考案による太陽光源植物ランプ１は、集光マスク１４がアクリル材質で形成され、防震、抗衝撃、防汚、および、使用寿命が長いという長所を有する。集光マスク１４の入光角度＞１０°、陽光反射率＞５％であり、紫外線（ＵＶ）に進入して、植物の成長を促進する。集光マスク１４は中空の半球形に設置され、表面が滑らかで、灰塵が残留しにくく、雨水によって流されて、自浄効果を達成し、透明のアクリル材料からなり、二酸化ケイ素（ＳｉＯ２）を添加して、集光マスク１４に、７５０ｎｍの周波数バンドの放射線 (熱)の進入を阻止する功能を有させる。
３．本考案による太陽光源植物ランプ１は、導光管１１内壁が反射膜１１１を設置し、光線伝達の長所を有する。反射膜１１１光の一次反射率９９．５％は、物理極限反射率９８％を超え、２０回の反射後、９４％の光線を出し、導光管１１により、効果的に、太陽光を温室の植物工場室内に伝達するとともに、紅外線を１００％吸収することができ、太陽熱放射が温室の植物工場室内に伝達され、温室の植物工場室内の空調負荷を減少させ、エネルギーを節約する。
４．出光ユニット１２は、眩光防止アクリル板１２１、および、拡散光アクリル板１２２を有し、眩光防止アクリル板、および、拡散光アクリル板の整合により、高度広域照面の照明效果(２８０〜７００ｎｍ全波長域)を達成する。
５．本考案による太陽光源植物ランプ１は、昼間の太陽光が十分である時、導光管１１が、集光マスク１４により、室外の自然光線を集めて、温室の植物工場室内の光線が必要な場所に送り、室内に十分な照度を提供する。曇りや雨天、夜間等、照度が不足するとき、光センサー１５により、太陽エネルギー発電貯電装置１６の電力出力を起動して、赤色と青色ＬＥＤランプモジュール１３、および、光センサー１５に必要な電力を提供する。赤色と青色ＬＥＤランプモジュール１３は、温室の植物工場の室外の天候条件によって、ＬＥＤランプの電力の大きさを自動調整して、温室の植物工場室内の照度や輝度の分布の均一性を維持する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１…太陽光源植物ランプ
１１…導光管
１１１…反射膜
１２…出光ユニット
１２１…眩光防止アクリル板
１２２…拡散光アクリル板
１３…赤色と青色ＬＥＤランプモジュール
１４…集光マスク
１５…光センサー
１６…太陽エネルギー発電貯電装置
２…温室の植物工場屋根
【図１】
0003213003.tif 000003